(57)【要約】【課題】インストルメントパネルや取付対象が変更された際に取付部材の設計変更をしなくても取付対象をインストルメントパネルの配置部位に配置する。【解決手段】空調装置取付構造１０では、リインフォースメント１６の本体部位１８と各延伸部位２０下部とにおける取付板２２に空調装置が取り付けられることで、空調装置の後部がインストルメントパネル１２の配置部位１４に配置される。ここで、リインフォースメント１６が本体部位１８と各延伸部位２０下部とにおいて複数の取付板２２を有している。このため、インストルメントパネル１２や空調装置が変更された際に、リインフォースメント１６の設計変更をしなくても、空調装置を取り付けるリインフォースメント１６の本体部位１８と各延伸部位２０下部とにおける取付板２２を変更することで、空調装置の後部をインストルメントパネル１２の配置部位１４に配置することができる。【選択図】    図１
2004352044.tif 000002
【特許請求の範囲】
【請求項１】
車両のインストルメントパネルに設けられた配置部位と、
複数の取付部を有する取付部材と、
前記取付部に取り付けられることで前記配置部位に配置される取付対象と、
を備えた取付構造。
【請求項２】
前記配置部位と前記各取付部との距離を互いに異ならせた、ことを特徴とする請求項１記載の取付構造。
【請求項３】
前記取付部に対応して前記取付部材に設けられ、前記取付対象を前記取付部材に位置決めする位置決め部を備えた、ことを特徴とする請求項１または請求項２記載の取付構造。
【発明の詳細な説明】
【０００１】
【発明の属する技術分野】
本発明は、車両において取付対象を取付部材に取り付けて取付対象をインストルメントパネルの配置部位に配置する取付構造に関する。
【０００２】
【従来の技術】
車両の空調装置取付構造としては、空調装置を金属製の横断材に取り付けて空調装置の正面部品をダッシュボードの開口部に配置するものがある（例えば、特許文献１参照）。
【０００３】
この空調装置取付構造では、空調装置を横断材に取り付けるねじを挿通する孔が楕円形とされており、ねじの孔への挿通位置が調整されることで、空調装置と、横断材とダッシュボードの開口部との間の相対位置と、のずれが補正される。これにより、ダッシュボードや空調装置の寸法や形状が変更された場合、その変更が僅かであれば、金属製の横断材の設計変更をしなくても、横断材に取り付けられた空調装置の正面部品をダッシュボードの開口部に配置することができる。
【０００４】
このように、ダッシュボードや空調装置が変更された際に、横断材の設計変更をしなくても、横断材に取り付けられた空調装置の正面部品をダッシュボードの開口部に配置できることが望まれている。
【０００５】
【特許文献１】
特開２０００−２９６７１４公報
【０００６】
【発明が解決しようとする課題】
本発明は上記事実を考慮し、インストルメントパネルや取付対象が変更された際に取付部材の設計変更をしなくても取付対象をインストルメントパネルの配置部位に配置できる取付構造を得ることが目的である。
【０００７】
【課題を解決するための手段】
請求項１に記載の取付構造は、車両のインストルメントパネルに設けられた配置部位と、複数の取付部を有する取付部材と、前記取付部に取り付けられることで前記配置部位に配置される取付対象と、を備えている。
【０００８】
請求項１に記載の取付構造では、取付部材の取付部に取付対象が取り付けられることで、取付対象がインストルメントパネルの配置部位に配置される。
【０００９】
ここで、取付部材が複数の取付部を有している。このため、インストルメントパネルや取付対象が変更された際に、取付部材の設計変更をしなくても、取付対象を取り付ける取付部材の取付部を変更することで、取付対象をインストルメントパネルの配置部位に配置することができる。
【００１０】
請求項２に記載の取付構造は、請求項１に記載の取付構造において、前記配置部位と前記各取付部との距離を互いに異ならせた、ことを特徴としている。
【００１１】
請求項２に記載の取付構造では、インストルメントパネルの配置部位と各取付部との距離が互いに異なっているため、インストルメントパネルや取付対象の寸法や形状が変更された際に、取付部材の設計変更をしなくても、取付対象を取り付ける取付部材の取付部を変更することで、取付対象をインストルメントパネルの配置部位に配置することができる。
【００１２】
請求項３に記載の取付構造は、請求項１または請求項２に記載の取付構造において、前記取付部に対応して前記取付部材に設けられ、前記取付対象を前記取付部材に位置決めする位置決め部を備えた、ことを特徴としている。
【００１３】
請求項３に記載の取付構造では、取付部に対応して取付部材に設けられた位置決め部が取付対象を取付部材に位置決めするため、取付対象をインストルメントパネルの配置部位に精度良く配置することができる。
【００１４】
【発明の実施の形態】
図１には、本発明の取付構造が適用されて構成された実施の形態に係る空調装置取付構造１０が車両左斜め後方から見た斜視図にて示されており、図２には、空調装置取付構造１０の主要部が車両左方から見た断面図にて示されている。なお、本実施の形態では、車両前方を「前方」とし、車両後方を「後方」とし、車両右方を「右方」とし、車両左方を「左方」とし、車両上方を「上方」とし、車両下方を「下方」とする。
【００１５】
本実施の形態に係る空調装置取付構造１０は、インストルメントパネル１２（車両パッケージまたはダッシュボード）を備えており、インストルメントパネル１２は、車両内の前席前方に配置されている。インストルメントパネル１２は、断面略Ｕ字状で左右方向へ長尺とされた略容器状とされており、インストルメントパネル１２の前面は開放されている。インストルメントパネル１２後部の右側部位または左側部位には、ステアリングコラムや各種のメータ等（図示省略）が配置されている。さらに、インストルメントパネル１２後部の左右方向中央は、下方へ延伸されて、配置部位１４とされており、配置部位１４は枠状とされている。
【００１６】
インストルメントパネル１２内には、取付部材としてのリインフォースメント１６（インストルメントパネル・リインフォースメント・ブラケット）が固定されており、リインフォースメント１６は、マグネシウム等が使用された成形型のものとされている。リインフォースメント１６は、インストルメントパネル１２に対応して配置されて、本体部位１８と一対の延伸部位２０とを有しており、本体部位１８は上部に配置されて左右方向へ長尺とされる一方、一対の延伸部位２０はインストルメントパネル１２の配置部位１４の左右方向両端に沿って本体部位１８から下方へ延伸されている。
【００１７】
リインフォースメント１６の本体部位１８と各延伸部位２０の下部とは、後方へ向かうに従い下方へ向かう方向へ傾斜された波形板状（階段状）とされており、取付部としての前後方向に垂直な平板状の取付板２２と、位置決め部としての上下方向に垂直な平板状の位置決め板２４と、をそれぞれ複数有して、取付板２２と位置決め板２４とが交互に配置されている。これにより、リインフォースメント１６の本体部位１８と各延伸部位２０の下部とでは、各取付板２２が前後方向へ互いに離間して（分離して）配置されて、各取付板２２と、インストルメントパネル１２の配置部位１４と、の前後方向における距離が互いに異なった構成とされている。また、各取付板２２には、それぞれ所定数の取付孔２６が形成されている。
【００１８】
リインフォースメント１６には、取付対象としての空調装置２８（ＨＶＡＣ（Ｈｅａｔｉｎｇ，  Ｖｅｎｔｉｌａｔｉｎｇ，  ａｎｄ  Ａｉｒ  Ｃｏｎｄｉｔｉｏｎｉｎｇ）装置）が設けられており、空調装置２８は車両内の空調動作を行う。リインフォースメント１６の本体部位１８及び各延伸部位２０下部における各取付板２２（取付孔２６を含む）及び各位置決め板２４は、各種類（寸法及び形状）のインストルメントパネル１２及び各種類（寸法及び形状）の空調装置２８に対応しており、何れの種類のインストルメントパネル１２及び空調装置２８であっても、インストルメントパネル１２の種類及び空調装置２８の種類に対応したリインフォースメント１６の本体部位１８及び各延伸部位２０下部における取付板２２に、取付孔２６を貫通されたボルト３０によって、空調装置２８が取り付けられることで、空調装置２８の後部（操作スイッチ等が設けられた正面部位）がインストルメントパネル１２の配置部位１４に配置（嵌入）されている。また、空調装置２８は、取り付けられた各取付板２２及び当該各取付板２２直上の各位置決め板２４に、接触（特に面接触）されて、リインフォースメント１６に位置決めされた構成である。
【００１９】
次に本実施の形態の作用を説明する。
【００２０】
以上の構成の空調装置取付構造１０では、リインフォースメント１６の本体部位１８と各延伸部位２０下部とにおける取付板２２に、取付孔２６を貫通されたボルト３０によって、空調装置２８が取り付けられることで、空調装置２８の後部がインストルメントパネル１２の配置部位１４に配置される。
【００２１】
ここで、各種類のインストルメントパネル１２及び各種類の空調装置２８に対応して、リインフォースメント１６が本体部位１８と各延伸部位２０下部とにおいて複数の取付板２２を有している。このため、インストルメントパネル１２や空調装置２８が変更された際に、リインフォースメント１６の設計変更をしなくても、空調装置２８を取り付けるリインフォースメント１６の本体部位１８と各延伸部位２０下部とにおける取付板２２（取付孔２６を含む）を変更することで、空調装置２８の後部をインストルメントパネル１２の配置部位１４に配置することができる。
【００２２】
特に、空調装置２８の本体部位１８と各延伸部位２０下部とにおける各取付板２２と、インストルメントパネル１２の配置部位１４と、の距離が互いに異なっているため、インストルメントパネル１２や空調装置２８の寸法や形状が変更された際に、リインフォースメント１６の設計変更をしなくても、空調装置２８を取り付けるリインフォースメント１６の本体部位１８と各延伸部位２０下部とにおける取付板２２を変更することで、空調装置２８の後部をインストルメントパネル１２の配置部位１４に配置することができる。
【００２３】
さらに、リインフォースメント１６の本体部位１８と各延伸部位２０下部とには、各取付板２２の直上に各取付板２２に対応して位置決め板２４が設けられており、空調装置２８が取り付けられた取付板２２直上の位置決め板２４が空調装置２８をリインフォースメント１６に位置決めするため、空調装置２８をインストルメントパネル１２の配置部位１４に精度良く配置することができる。
【００２４】
なお、本実施の形態では、インストルメントパネル１２に配置される空調装置２８（取付対象）を取り付けるリインフォースメント１６（取付部材）に複数の取付板２２（取付部）及び位置決め板２４（位置決め部）を設けた構成としたが、インストルメントパネルに配置される他の取付対象（例えばメータ）を取り付ける取付部材に複数の取付板（取付部）を設けると共に、取付板に対応する位置決め板（位置決め部）を必要に応じて設けた構成としてもよい。
【００２５】
【発明の効果】
請求項１に記載の取付構造では、取付部材が複数の取付部を有しているため、インストルメントパネルや取付対象が変更された際に、取付部材の設計変更をしなくても、取付対象を取り付ける取付部材の取付部を変更することで、取付対象をインストルメントパネルの配置部位に配置することができる。
【００２６】
請求項２に記載の取付構造では、配置部位と各取付部との距離が互いに異なっているため、インストルメントパネルや取付対象の寸法や形状が変更された際に、取付部材の設計変更をしなくても、取付対象を取り付ける取付部材の取付部を変更することで、取付対象をインストルメントパネルの配置部位に配置することができる。
【００２７】
請求項３に記載の取付構造では、取付部に対応して取付部材に設けられた位置決め部が取付対象を取付部材に位置決めするため、取付対象をインストルメントパネルの配置部位に精度良く配置することができる。
【図面の簡単な説明】
【図１】本発明の実施の形態に係る空調装置取付構造を示す車両左斜め後方から見た斜視図である。
【図２】本発明の実施の形態に係る空調装置取付構造の主要部を示す車両左方から見た断面図である。
【符号の説明】
１０    空調装置取付構造
１２    インストルメントパネル
１４    配置部位
１６    リインフォースメント（取付部材）
２２    取付板（取付部）
２４    位置決め板（位置決め部）
２８    空調装置（取付対象）
【図１】
2004352044.tif 000003
【図２】
2004352044.tif 000004